【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  複数の幅の異なる電子部品フィーダが装着可能で、かつ、前記電子部品フィーダに設けられた係合手段が係合することにより該電子部品フィーダの位置を決める位置決め手段が備えられたフィーダバンクを有する電子部品実装装置の指示装置であって、
前記フィーダバンクの各位置決め手段毎に対応して設けられ、かつ、装着すべき電子部品フィーダのフィーダバンク上の装着位置を視覚的に認識させるように指示する視覚的指示手段を備え、
装着時に複数の互いに隣接する位置決め手段の範囲を排他的に占有する幅を有する電子部品フィーダをフィーダバンクに装着する際に、前記視覚的認識手段のうちの前記電子部品フィーダの係合手段が係合する位置決め手段に対応する視覚的指示手段が視覚的な指示を出力し、
かつ、前記視覚的指示手段のうちの前記電子部品フィーダの係合手段に係合することなく、前記電子部品フィーダに排他的に占有される位置決め手段に対応する視覚的指示手段が、前記係合手段が係合する位置決め手段に対応する視覚的指示手段と異なる方法で視覚的な指示を出力することを特徴とする電子部品実装装置の指示装置。
【請求項２】  複数の電子部品フィーダを装着するフィーダバンクを備えた電子部品実装装置の指示装置であって、
前記電子部品フィーダに関する情報に基づく指示を視覚的に認識させるように出力する視覚的指示手段が、前記フィーダバンクに装着された電子部品フィーダの後部の上側から見通せる位置に設けられていることを特徴とする電子部品実装装置の指示装置。
【請求項３】  前記視覚的指示手段が前記電子部品フィーダを前記フィーダバンクに装着する際に、前記電子部品フィーダを装着すべきフィーダバンクの装着位置を視覚的に認識できるように指示することを特徴とする請求項２記載の電子部品実装装置の指示装置。
【請求項４】  前記視覚的指示手段が、前記フィーダバンクに装着された電子部品フィーダのうちの電子部品の供給が完了した電子部品フィーダの装着位置を視覚的に認識できるように指示することを特徴とする請求項１〜３のいずれか一つに記載の電子部品実装装置の指示装置。
【請求項５】  前記視覚的指示手段が、前記フィーダバンクに装着された電子部品フィーダのうちの電子部品の残数量が所定数量以下になった電子部品フィーダの装着位置を視覚的に認識できるように指示することを特徴とする請求項１〜４のいずれか一つに記載の電子部品実装装置の指示装置。
【請求項６】  前記視覚的指示手段が、視覚的に断続する指示と、視覚的に連続する指示とを切り替えて出力することを特徴とする請求項１〜５のいずれか一つに記載の電子部品実装装置の指示装置。
【手続補正２】
【補正対象書類名】明細書
【補正対象項目名】００１２
【補正方法】変更
【補正の内容】
【００１２】
請求項１記載の本発明の電子部品実装装置の指示装置は、複数の幅の異なる電子部品フィーダ１１が装着可能で、かつ、前記電子部品フィーダに設けられた係合手段（基準ピン）が係合することにより該電子部品フィーダの位置を決める位置決め手段（位置決めピン孔１２ｃ）が備えられたフィーダバンク１２を有する電子部品実装装置の指示装置であって、
前記フィーダバンクの各位置決め手段毎に対応して設けられ、かつ、装着すべき電子部品フィーダのフィーダバンク上の装着位置を視覚的に認識させるように指示する視覚的指示手段（ＬＥＤ１５）を備え、
装着時に複数の互いに隣接する位置決め手段の範囲を排他的に占有する幅を有する電子部品フィーダをフィーダバンクに装着する際に、前記視覚的認識手段のうちの前記電子部品フィーダの係合手段が係合する位置決め手段に対応する視覚的指示手段が視覚的な指示を出力し、
かつ、前記視覚的指示手段のうちの前記電子部品フィーダの係合手段に係合することなく、前記電子部品フィーダに排他的に占有される位置決め手段に対応する視覚的指示手段が、前記係合手段が係合する位置決め手段に対応する視覚的指示手段と異なる方法で視覚的な指示を出力することを特徴とする。
【手続補正３】
【補正対象書類名】明細書
【補正対象項目名】００１４
【補正方法】変更
【補正の内容】
【００１４】
また、装着すべき電子部品フィーダの幅が広い場合に、この電子部品フィーダの係合手段が係合するフィーダバンクの位置決め手段に対応する視覚的指示手段が上述のように指示を出力する。さらに、前述の幅の広い電子部品フィーダにより他の電子部品フィーダが装着できないように、幅の広い電子部品フィーダに排他的に占有された位置決め手段に対応する視覚的指示手段が、係合手段が係合する位置決め手段に対応する視覚的指示手段と異なる方法で、視覚的な指示を出力する。従って、幅の広い電子部品フィーダを装着する際には、係合手段が係合する位置決め手段に対応する視覚的指示手段により、係合手段を係合させる位置決め手段の位置が瞬時に認識できるとともに、電子部品フィーダがフィーダバンクに装着された際に占める範囲を瞬時に認識することができる。
【手続補正４】
【補正対象書類名】明細書
【補正対象項目名】００１７
【補正方法】変更
【補正の内容】
【００１７】
また、係合手段が係合する位置決め手段に対応する視覚的指示手段と電子部品フィーダに排他的に占有される位置決め手段に対応する視覚的指示手段とでの異なる視覚的な指示方法とは、たとえば、視覚的指示手段が発光体の場合に、異なる色で発光させたり、一方を連続的に点灯させ、他方、点滅するように点灯させたり、一方と他方とで点滅の仕方を変えたりするものである。また、視覚的指示手段が機械的な装置の場合には、たとえば、出没する部材の色や形状を変えたり、一方を部材が出た状態に保持し、他方を部材の出没を繰り返すようにしたりするものである。また、視覚的指示手段が液晶ディスプレイのようなディスプレイにおいては、表示画像の色や形状を変えたり、一方において同じ画像を連続的に出力し、他方において異なる画像を切り替えながら出力させたりするものである。
また、フィーダバンクは、電子部品実装装置に固定的に設けられているものでも良いし、電子部品実装装置本体に対して着脱自在で移動自在な、たとえば、フロアトロリー型等の一括交換台車に設けられているものとしても良い。また、一括交換台車にフィーダバンクがある場合には、一括交換台車側に視覚的指示手段を設けることが好ましい。
【手続補正５】
【補正対象書類名】明細書
【補正対象項目名】００２８
【補正方法】変更
【補正の内容】
【００２８】
上記構成によれば、たとえば、請求項１記載のように係合手段が係合する位置決め手段に対応する視覚的指示手段と電子部品フィーダに排他的に占有される位置決め手段に対応する視覚的指示手段とのように異なる方法で指示を出力するような場合に、連続的な指示と、断続的な指示とにより、指示の方法を変えることができる。また、電子部品フィーダの電子部品の残数量が所定量以下となった場合と、０となった場合とで、断続的指示と連続的指示とを切り替えるのも有効である。
なお、連続する指示とは、たとえば、視覚的指示手段が発光体の場合に点灯した状態であり、断続する指示とは、点滅する状態であるが、視覚的指示手段が機械的装置の場合に、連続する指示は、部材が出た状態を保持することであり、断続する指示は、部材の出没を繰り返す状態である。また、ディスプレイにおいて、連続する指示とは、同じ画像を表示することであり、断続する指示とは、異なる画像を切り替えて表示することである。
【手続補正６】
【補正対象書類名】図面
【補正対象項目名】図２
【補正方法】変更
【補正の内容】
【図２】
2001326494.tif 000001